(57)【要約】【課題】卒業後であっても使用価値の高いアルバムを提供することが可能となる。【解決手段】クライアント装置からの要求に応じたホームページ情報を提供するホームページ公開サーバ装置において、所定の団体に属する構成員に関するホームページ情報を格納する格納手段（ＤＢ４３）と、クライアント装置からの要求に応じて、格納手段に格納されている所定のホームページ情報を取得する取得手段（ＤＢ管理モジュール４２）と、取得手段によって取得されたホームページ情報を要求を行ったクライアント装置に対して送信する送信手段（送受信管理モジュール４０）と、格納手段に格納されているホームページ情報を更新する更新手段（ＨＰ作成管理モジュール）と、を有する。【選択図】        図４
2004355338.tif 000002
【特許請求の範囲】
【請求項１】
クライアント装置からの要求に応じたホームページ情報を提供するホームページ公開サーバ装置において、
所定の団体に属する構成員に関するホームページ情報を格納する格納手段と、
上記クライアント装置からの要求に応じて、上記格納手段に格納されている所定のホームページ情報を取得する取得手段と、
上記取得手段によって取得されたホームページ情報を要求を行ったクライアント装置に対して送信する送信手段と、
上記格納手段に格納されているホームページ情報を更新する更新手段と、
を有することを特徴とするホームページ公開サーバ装置。
【請求項２】
前記構成員に関するホームページ情報を所定の属性毎に前記クライアント装置側に一覧表示させる一覧表示手段をさらに有することを特徴とする請求項１記載のホームページ公開サーバ装置。
【請求項３】
前記一覧表示手段は、前記構成員の氏名または画像を一覧表示させ、
前記一覧表示手段によって表示された上記氏名または上記画像が選択された場合には、前記取得手段は、対応するホームページ情報を前記格納手段から取得する、
ことを特徴とする請求項２記載のホームページ公開サーバ装置。
【請求項４】
前記一覧表示手段により一覧表示される画像またはテキスト情報としての氏名の使用を制限する画像使用制限手段をさらに有することを特徴とする請求項３記載のホームページ公開サーバ装置。
【請求項５】
前記構成員のそれぞれに関するホームページ情報は、構成員の過去の情報と、現在の情報の少なくとも一方を含むことを特徴とする請求項１記載のホームページ公開サーバ装置。
【請求項６】
前記現在の情報は、当該構成員の現在の職業に関する情報を有していることを特徴とする請求項５記載のホームページ公開サーバ装置。
【請求項７】
前記職業に関する情報は、当該構成員が勤務する企業等のホームページに関する情報を有していることを特徴とする請求項５記載のホームページ公開サーバ装置。
【請求項８】
前記格納手段は、構成員によって作成されたホームページ情報を有しており、
前記取得手段は、上記ホームページ情報を取得する、
ことを特徴とする請求項１記載のホームページ公開サーバ装置。
【請求項９】
前記構成員によって作成されたホームページ情報をサーチロボットが検索対象とすることを防止する検索対象防止手段をさらに有することを特徴とする請求項８記載のホームページ公開サーバ装置。
【請求項１０】
前記構成員によって作成されたホームページ情報に対するアクセスを制限するためのアクセス制限手段をさらに有することを特徴とする請求項８記載のホームページ公開サーバ装置。
【請求項１１】
前記構成員によって前記ホームページ情報を作成するためのホームページ情報作成手段をさらに有することを特徴とする請求項８記載のホームページ公開サーバ装置。
【請求項１２】
前記格納手段に格納されているホームページ情報を検索する検索手段をさらに有することを特徴とする請求項１記載のホームページ公開サーバ装置。
【請求項１３】
前記格納手段に格納されているホームページ情報を、前記検索手段の検索対象から除外する検索対象除外手段をさらに有することを特徴とする請求項１記載のホームページ公開サーバ装置。
【請求項１４】
前記格納手段に格納されているホームページ情報には、画像、音声、または、動画の少なくとも１つを含んでいることを特徴とする請求項１記載のホームページ公開サーバ装置。
【請求項１５】
クライアント装置からの要求に応じたホームページ情報を提供するホームページを利用した情報提供方法において、
所定の団体に属する構成員に関するホームページ情報を格納する格納ステップと、
上記クライアント装置からの要求に応じて、上記格納ステップに格納されている所定のホームページ情報を取得する取得ステップと、
上記取得ステップによって取得された上記ホームページ情報を要求を行ったクライアント装置に対して送信する送信ステップと、
上記格納ステップに格納されているホームページ情報を更新する更新ステップと、
を有することを特徴とするホームページを利用した情報提供方法。
【請求項１６】
クライアント装置からの要求に応じたホームページ情報を提供するサーバ装置において実行される処理を実現するコンピュータ読み取り可能なサーバ装置用プログラムにおいて、
コンピュータを、
所定の団体に属する構成員に関するホームページ情報を格納する格納手段、
上記クライアント装置からの要求に応じて、上記格納手段に格納されている所定のホームページ情報を取得する取得手段、
上記取得手段によって取得された上記ホームページ情報を要求を行ったクライアント装置に対して送信する送信手段、
上記格納手段に格納されているホームページ情報を更新する更新手段、
として機能させることを特徴とするコンピュータ読み取り可能なサーバ装置用プログラム。
【発明の詳細な説明】
【０００１】
【発明の属する技術分野】
本発明は、ホームページ公開サーバ装置、ホームページを利用した情報提供方法、およびサーバ装置用プログラムに関する。
【０００２】
【従来の技術】
従来、小学校、中学校、高等学校、または大学では、卒業記念として卒業アルバムを作成し、これを卒業生へ手渡している。卒業アルバムに掲載される写真には、プロのカメラマンが撮影した集合写真の他に、遠足、体育祭などの学校行事の際にプロのカメラマンまたは学校関係者が撮影したスナップ写真などが含まれている。在校期間中に卒業アルバムに掲載する多数枚の写真が収集され、卒業前に、収集された写真に基づいて、学校関係者で卒業アルバムの編集を行い、印刷業者へ印刷および製本を依頼して卒業アルバムを製作する。
【０００３】
このような卒業アルバムの作成方法では、長い期間にわたって多数枚の写真を収集するため、写真の保管に手間がかかり煩雑である。また、従来の卒業アルバムは、全ての卒業生に共通のものであるため、面白みがなく、特にスナップ写真については、全ての卒業生を平等に卒業アルバムに掲載するのが容易でなく、不平や不満を招く要因となっている。
【０００４】
このような従来の卒業アルバムの不具合を解消するために、アルバム作成を受託した受託事業者がアルバム作成を委託した委託者より所定の期間にわたって提供される複数の画像に基づいてアルバムを作成する発明が提案されている（特許文献１参照）。
【０００５】
この発明では、委託者は、受託事業者のコンピュータシステムとコンピュータネットワークを介して接続された通信端末装置により画像と個人識別情報とを対にしてコンピュータネットワークへ送信する。一方、受託事業者は、コンピュータネットワークを介して委託者より送られてくる画像および個人識別情報をコンピュータシステムで受信する毎に、画像と個人識別情報とを対応させてメモリに記憶させておき、アルバム製作時に、記憶させた画像を前記メモリより読み出して個人識別情報で特定される個人毎のアルバムを製作するようにしている。
【０００６】
【特許文献１】
特開２００２−０４２１４５号公報（要約、請求の範囲）
【０００７】
【発明が解決しようとする課題】
しかし、上記発明では、一旦、アルバムが作成された後は、情報のアップデートが困難であるため、例えば、引っ越し等に伴って住所および電話番号が変わったり、転職等により勤務先が変わったり、または、結婚により姓が変わったりする場合があるが、このような情報の変化には対応できないという問題点がある。
【０００８】
また、ビジネス等においては、学生時代の人的コネクションを活用することにより、異業種の交流を深めたり、新たな信頼関係を構築したりすることが可能になる場合が少なくない。しかしながら、上記発明では、アルバムに表示された情報は、過去の情報であることから、必ずしもこのような人的なネットワークを構築する際に有用な情報を提供するものとはなっていないという問題がある。
【０００９】
本発明は、上記の事情に基づきなされたもので、その目的とするところは、例えば、卒業後であっても使用価値の高いアルバムを提供することが可能な、ホームページ公開サーバ装置、ホームページを利用した情報提供方法、およびサーバ装置用プログラムを提供しよう、とするものである。
【００１０】
【課題を解決するための手段】
上述の目的を達成するため、本発明は、クライアント装置からの要求に応じたホームページ情報を提供するホームページ公開サーバ装置において、所定の団体に属する構成員に関するホームページ情報を格納する格納手段と、クライアント装置からの要求に応じて、格納手段に格納されている所定のホームページ情報を取得する取得手段と、取得手段によって取得されたホームページ情報を要求を行ったクライアント装置に対して送信する送信手段と、格納手段に格納されているホームページ情報を更新する更新手段と、を有している。
【００１１】
このため、例えば、構成員が卒業生である場合には、卒業後であっても使用価値の高いアルバムを提供することが可能となる。
【００１２】
また、他の発明は、上述の発明に加えて、構成員に関するホームページ情報を所定の属性毎にクライアント装置側に一覧表示させる一覧表示手段をさらに有するようにしている。このため、例えば、構成員が卒業生である場合には、期毎の卒業生を一覧表示させ、その中から目的の卒業生を探すことが可能になる。
【００１３】
また、他の発明は、上述の発明に加えて、一覧表示手段は、構成員の氏名または画像を一覧表示させ、一覧表示手段によって表示された氏名または画像が選択された場合には、取得手段は、対応するホームページ情報を格納手段から取得する、ようにしている。そのため、文字情報のみならず画像情報を参照して、目的の構成員を探し出すことが可能になる。
【００１４】
また、他の発明は、上述の発明に加えて、一覧表示手段により一覧表示される画像またはテキスト情報としての氏名の使用を制限する画像使用制限手段をさらに有するようにしている。このため、プライバシーに係る情報が外部に漏洩することを防止できる。
【００１５】
また、他の発明は、上述の発明に加えて、構成員のそれぞれに関するホームページ情報は、構成員の過去の情報と、現在の情報の少なくとも一方を含むようにしている。このため、構成員の過去または現在の情報を参照して、目的の構成員を検索するとともに、現在または過去の情報を知ることができる。
【００１６】
また、他の発明は、上述の発明に加えて、現在の情報は、当該構成員の現在の職業に関する情報を有しているようにしている。このため、過去の構成員の情報を参照して、現在の職業を知ることができるとともに、現在の職業を参照して構成員の過去の情報を知ることができる。
【００１７】
また、他の発明は、上述の発明に加えて、職業に関する情報は、当該構成員が勤務する企業等のホームページに関する情報を有するようにしている。このため、構成員が現在勤務している企業等の情報を詳細に知ることが可能になる。
【００１８】
また、他の発明は、上述の発明に加えて、格納手段は、構成員によって作成されたホームページ情報を有しており、取得手段は、ホームページ情報を取得する、ようにしている。このため、構成員が自ら作成したホームページ情報を参照することにより、当該構成員に関するより詳細な情報を得ることが可能になる。
【００１９】
また、他の発明は、上述の発明に加えて、構成員によって作成されたホームページ情報をサーチロボットが検索対象とすることを防止する検索対象防止手段をさらに有するようにしている。このため、インターネット上に存在する検索サイトに構成員の情報が登録されることにより、プライベートな情報が漏洩することを防止できる。
【００２０】
また、他の発明は、上述の発明に加えて、構成員によって作成されたホームページ情報に対するアクセスを制限するためのアクセス制限手段をさらに有するようにしている。このため、アクセス制限により、構成員のプライベートな情報の漏洩を一層確実の防止することが可能になる。
【００２１】
また、他の発明は、上述の発明に加えて、構成員によってホームページ情報を作成するためのホームページ情報作成手段をさらに有するようにしている。このため、構成員がホームページ情報を作成するための特別のプログラムを有しない場合であってもホームページ情報を容易に作成または更新することが可能になる。
【００２２】
また、他の発明は、上述の発明に加えて、格納手段に格納されているホームページ情報を検索する検索手段をさらに有するようにしている。このため、キーワードを用いて、目的となるホームページを容易に見つけだすことが可能になる。
【００２３】
また、他の発明は、上述の発明に加えて、格納手段に格納されているホームページ情報を、検索手段の検索対象から除外する検索対象除外手段をさらに有するようにしている。このため、構成員が公開したくない情報については非公開とすることができる。
【００２４】
また、他の発明は、上述の発明に加えて、格納手段に格納されているホームページ情報には、画像、音声、または、動画の少なくとも１つを含んでいるようにしている。このため、提供する情報の表現力を向上することが可能になる。
【００２５】
また、本発明は、クライアント装置からの要求に応じたホームページ情報を提供するホームページを利用した情報提供方法において、所定の団体に属する構成員に関するホームページ情報を格納する格納ステップと、クライアント装置からの要求に応じて、格納ステップに格納されている所定のホームページ情報を取得する取得ステップと、取得ステップによって取得されたホームページ情報を要求を行ったクライアント装置に対して送信する送信ステップと、格納ステップに格納されているホームページ情報を更新する更新ステップと、を有する。
【００２６】
このため、本発明のホームページを利用した情報提供方法を用いれば、例えば、構成員が卒業生である場合には、卒業後であっても使用価値の高いアルバムを提供することが可能となる。
【００２７】
また、本発明は、クライアント装置からの要求に応じたホームページ情報を提供するサーバ装置において実行される処理を実現するコンピュータ読み取り可能なサーバ装置用プログラムにおいて、コンピュータを、所定の団体に属する構成員に関するホームページ情報を格納する格納手段、クライアント装置からの要求に応じて、格納手段に格納されている所定のホームページ情報を取得する取得手段、取得手段によって取得されたホームページ情報を要求を行ったクライアント装置に対して送信する送信手段、格納手段に格納されているホームページ情報を更新する更新手段、として機能させるようにしている。
【００２８】
このため、本発明のプログラムをインストールしたサーバ装置によれば、例えば、構成員が卒業生である場合には、卒業後であっても使用価値の高いアルバムを提供することが可能となる。
【００２９】
【発明の実施の形態】
以下、本発明の一実施の形態について、図面を参照して説明する。
【００３０】
図１は、本発明の実施の形態に係るホームページ公開サーバ装置（以下、単に「サーバ装置」と称する）を含むアルバム管理システムの構成例を示す図である。この図に示すように、アルバム管理システムは、サーバ装置１０、クライアント装置１１〜１４、ＬＡＮ（Ｌｏｃａｌ  Ａｒｅａ  Ｎｅｔｗｏｒｋ）１５およびインターネット１６によって構成されている。
【００３１】
ここで、サーバ装置１０は、サーバマシンまたはワークステーション等によって構成され、例えば、大学の施設内に設置されており、ＬＡＮ１５を介して学内のクライアント装置１１と接続されている。また、サーバ装置１０は、インターネット１６に接続されており、卒業アルバムおよび卒業生が作成したホームページをインターネット１６上に公開している。なお、この例では、サーバ装置１０は、インターネット１６に直接接続されているが、例えば、ファイアウォール等を介して接続し、外部からの攻撃を回避してセキュリティを向上させることも可能である。
【００３２】
クライアント装置１１〜１４は、パーソナルコンピュータ、ＰＤＡ（Ｐｅｒｓｏｎａｌ  Ｄｉｇｉｔａｌ  Ａｓｓｉｓｔａｎｔ）、または携帯電話によって構成されており、インターネット１６を介してサーバ装置１０にアクセスすることにより、卒業アルバムを閲覧するとともに、必要な情報をダウンロードすることができる。
【００３３】
ＬＡＮ１５は、大学構内に敷設されたローカルなネットワークであり、サーバ１０とクライアント装置１１とを電気的に接続して、これらの間で情報の授受を可能とする。なお、この例では、クライアント装置１１は、１台のみとされているが、複数のクライアント装置を接続することも可能である。
【００３４】
インターネット１６は、複数のコンピュータを相互に接続した世界的なネットワーク群の総称であり、個々の通信機器に付与されたＩＰ（Ｉｎｔｅｒｎｅｔ  Ｐｒｏｔｏｃｏｌ）アドレスに基づいて、情報をパケット化して双方向に伝送する。
【００３５】
図２は、図１に示すサーバ装置１０およびクライアント装置１１〜１４の詳細な構成例を示す図である。この図に示すように、サーバ装置１０およびクライアント装置１１〜１３は、ＣＰＵ（Ｃｅｎｔｒａｌ  Ｐｒｏｃｅｓｓｉｎｇ  Ｕｎｉｔ）３０、ＲＯＭ（Ｒｅａｄ  Ｏｎｌｙ  Ｍｅｍｏｒｙ）３１、ＲＡＭ（Ｒａｎｄｏｍ  Ａｃｃｅｓｓ  Ｍｅｍｏｒｙ）３２、ＨＤＤ（Ｈａｒｄ  Ｄｉｓｋ  Ｄｒｉｖｅ）３３、ビデオ回路３４、Ｉ／Ｆ（Ｉｎｔｅｒｆａｃｅ）３５、バス３６、表示装置３７、入力装置３８、および外部記憶装置３９によって構成されている。
【００３６】
ＣＰＵ３０は、ＨＤＤ３３または外部記憶装置３９に格納されているプログラムに従って、各種演算処理等を実行するとともに、装置の各部を制御する処理装置である。
【００３７】
ＲＯＭ３１は、ＣＰＵ３０が実行する基本的なプログラムおよびデータを格納するメモリである。ＲＡＭ３２は、ＣＰＵ３０が実行途中のプログラムおよび演算途中のデータを一時的に格納するメモリである。
【００３８】
ＨＤＤ３３は、ＣＰＵ３０が実行する各種プログラムを格納するとともに、演算処理によって生じた各種データを格納する記憶装置である。ビデオ回路３４は、ＣＰＵ３０から供給された描画命令に従って描画処理を実行し、得られた画像を映像信号に変換して出力する回路である。
【００３９】
Ｉ／Ｆ３５は、入力装置３８から出力された信号の表現形式を変換するとともに、外部記憶装置３９およびインターネット１４との間で情報を授受する際に、信号の表現形式の変換を行う回路である。
【００４０】
バス３６は、ＣＰＵ３０、ＲＯＭ３１、ＲＡＭ３２、ＨＤＤ３３、ビデオ回路３４、およびＩ／Ｆ３５を相互に接続し、これらの間でデータの授受を可能にする信号線群である。
【００４１】
表示装置３７は、例えば、ＣＲＴ（Ｃａｔｈｏｄｅ  Ｒａｙ  Ｔｕｂｅ）モニタまたはＬＣＤ（Ｌｉｑｕｉｄ  Ｃｒｙｓｔａｌ  Ｄｉｓｐｌａｙ）モニタによって構成されており、ビデオ回路３４から出力された映像信号に対応する画像を表示する装置である。
【００４２】
入力装置３８は、例えば、キーボードまたはマウスによって構成され、ユーザの操作に応じた信号を出力する装置である。外部記憶装置３９は、例えば、ＭＯ（Ｍａｇｎｅｔｏ−Ｏｐｔｉｃａｌ  ｄｉｓｋ）ドライブや、ＤＶＤ−ＲＡＭ（Ｄｉｇｉｔａｌ  Ｖｅｒｓａｔｉｌｅ  Ｄｉｓｋ  ＲＡＭ）ドライブによって構成されており、ＭＯディスクやＤＶＤ−ＲＡＭディスクにデータを記録するとともに、これらに記録されているデータを読み出して出力する装置である。
【００４３】
図３は、図１に示すサーバ装置１０のＨＤＤ３３に記憶されているソフトウエアと、ＣＰＵ３０、ＲＯＭ３１、ＲＡＭ３２等のハードウエアとが協働することにより実現される機能を示す図である。この図に示すように、サーバ装置１０の機能としては、送受信管理モジュール４０、基本制御モジュール４１、ＤＢ（Ｄａｔａ  Ｂａｓｅ）管理モジュール４２、ＤＢ４３、およびＨＰ（Ｈｏｍｅ  Ｐａｇｅ）作成管理モジュール４４がある。
【００４４】
送信手段である送受信管理モジュール４０は、ネットワーク１４を介して情報を授受する際に、プロトコルの変換処理等を実行する。一覧表示手段であり画像使用制限手段であり検索対象防止手段でありアクセス制限手段であり検索手段かつまた検索対象除外手段である基本制御モジュール４１は、例えば、ＯＳ（Ｏｐｅｒａｔｉｎｇ  Ｓｙｓｔｅｍ）等を仲介として実現されるモジュールであり、サーバ装置１０における基本的な処理を実行する。
【００４５】
取得手段であるＤＢ管理モジュール４２は、ＤＢ４３に格納されているデータを管理するモジュールである。格納手段であるＤＢ４３は、卒業アルバムおよびホームページに関する情報を格納している。ＨＰ作成管理モジュール４４は、卒業アルバムとしてのホームページの作成および管理を行うモジュールである。また、更新手段であり、ホームページ情報作成手段であるＨＰ作成管理モジュール４４は、各卒業生が独自にホームページを作成する処理を実行するとともに、作成されたホームページを管理する処理を実行するモジュールである。
【００４６】
つぎに、以上の実施の形態の動作について説明する。
【００４７】
図４は、図１に示すアルバム管理システムに対して、卒業を予定している生徒（以下、「卒業予定生徒」と称する）を新たに登録する際にサーバ装置１０において実行される処理の一例を示すフローチャートである。なお、登録処理は、大学側の担当者が、例えば、卒業予定生徒から書面または電子メール等により申告された内容に基づいて行う。このフローチャートが開始されると、以下のステップが実行される。
【００４８】
ステップＳ１０：サーバ装置１０の基本制御モジュール４１は、登録しようとする卒業予定生徒の名簿を、例えば、入力装置３８から入力された情報に対応して特定する。例えば、クライアント装置１１に登録されている、図５に示すような、生徒の名簿の中から特定の期の生徒を特定する。具体的には、例えば、第６期の生徒が登録の対象として特定されることになる。
【００４９】
なお、図５に示す名簿を構成する項目としては「期」、「シリアルＮｏ．」、「氏名」、「ローマ字表記」、「所属ゼミ」、「所属部」、「就職先」、および「Ｅ−ｍａｉｌ」がある。ここで、「期」は生徒の卒業した期または卒業予定の期を示している。「シリアルＮｏ．」は、各生徒に付与されたユニークなシリアル番号であり、このシリアル番号を指定することで、生徒が一意に特定される。「氏名」は生徒の氏名である。「ローマ字表記」は生徒の氏名のローマ字表記である。「所属ゼミ」は生徒が所属している（していた）ゼミ（Ｓｅｍｉｎａｒ）を示している。「所属部」は生徒が所属している（していた）部活動の名称（例えば、陸上部等）を示す。「就職先」は生徒の就職先を示す。なお、就職先がまだ決まっていない（または内定していない）生徒については「−」が入力されている。「Ｅ−ｍａｉｌ」は、生徒に対してシステムから付与された電子メールのアドレスを示す。なお、アドレスは、当該システムが有するドメイン「○○○．ｃｏｍ」に対して姓のアルファベット表記を付与して作成される。なお、アドレスが重複する場合には、名のアルファベット表記をハイフン「−」を介して接続することにより重複を回避する。例えば、「ｔａｒｏ−ｔａｎａｋａ＠○○○．ｃｏｍ」のようにする。
【００５０】
ステップＳ１１：基本制御モジュール４１は、ＤＢ４３に格納されている、登録画面を表示するための情報（例えば、ＨＴＭＬファイル）を読み出し、ビデオ回路３４に供給する。その結果、サーバ装置１０の表示装置３７には、図６に示すような画面６０が表示される。
【００５１】
図６の表示例では、画面６０の最上部にタイトル６１として「登録」が表示されている。その下には、テキスト情報６２〜６５、ラジオボタン６６、テキストボックス６７、ラジオボタン６８〜７１、テキストボックス７２、ラジオボタン７３、テキストボックス７４、ラジオボタン７５、およびボタン７６，７７が表示されている。
【００５２】
ここで、テキスト情報６２は、登録の対象となる生徒のシリアルＮｏ．（図５に示す「シリアルＮｏ．」に対応する）を示す。この例では、「６０００１」が表示されている。テキスト情報６３は、生徒の氏名を示す。この例では、「特許太郎」が表示されている。テキスト情報６４は、生徒の氏名のローマ字表記を示す。この例では、「Ｔｏｋｋｙｏ  Ｔａｒｏ」が表示されている。テキスト情報６５は、生徒の電子メールのアドレスを示している。この例では、システムから自動的に付与されたメールアドレス「ｔｏｋｋｙｏ＠ｏｏｏ．ｃｏｍ」（図５に示す「Ｅ−ｍａｉｌ」に対応する）が表示されている。
【００５３】
ラジオボタン６６は、後述する卒業アルバムのフロントページ（図９に示す）に、当該生徒の画像を掲示するか否かを選択するためのものであり、左側のボックス（ＹＥＳ）が選択されると画像が表示され、右側のボックス（ＮＯ）が選択されると画像が表示されない。
【００５４】
テキストボックス６７は、ラジオボックス６６において（ＹＥＳ）が選択された場合において、表示の対象となる画像ファイルを特定するための情報が入力される。この例では、「ｗｗｗ．ｏｏｏ．ｃｏｍ／ｉｍｇ／ｘｘ．ｊｐｇ」が入力されている。なお、この情報は、図５に示す名簿に予め登録しておき、これを利用して表示するようにしてもよい。
【００５５】
ラジオボタン６８は、生徒が独自の専用ＨＰを設けるか否かを選択するためのものであり、専用ＨＰを設ける場合には左側のボックス（設ける）が選択され、設けない場合には右側のボックス（設けない）が選択される。
【００５６】
ラジオボタン６９は、ラジオボタン６８において専用ＨＰを設けることが選択された場合において、プライバシーブロック（詳細は後述する）を行うか否かを選択するためのボタンである。なお、プライバシーブロックとは、インターネット１６上に存在する検索サイトが有するサーチロボットが当該専用ＨＰを検索の対象とすることを回避するための方策を施すことをいう。このような方策を施せば、例えば、検索サイトにおいて、生徒の氏名がキーワードとして入力されて検索が実行された場合であっても、検索結果として、写真、プロフィール等の個人情報が表示されることを防止できる。
【００５７】
ラジオボタン７０は、ラジオボタン６８において、専用ＨＰを設けることが選択された場合において、当該専用ＨＰの容量を指定するためのボタンである。この例では、左側のボックス（５ＭＢ）が選択された場合には、専用ＨＰの容量として、「５ＭＢ」が選択される。また、右側のボックス（１０ＭＢ）が選択された場合には、専用ＨＰの容量として、「１０ＭＢ」が選択される。なお、これ以外の容量を指定可能としてもよい。
【００５８】
ラジオボタン７１は、ラジオボタン６８において、専用ＨＰを設けることが選択された場合において、当該専用ＨＰへのアクセス制限を設けるか否かを指定するためのボタンである。この例では、左側のボックス（設ける）が選択された場合には、専用ＨＰへアクセスする際にパスワード等の入力が必要となる。また、右側のボックス（設けない）が選択された場合には、専用ＨＰへの自由なアクセスが可能になる。
【００５９】
テキストボックス７２は、ラジオボタン７１においてアクセス制限を設けることが選択された場合に、当該専用ＨＰへアクセスするためのパスワードが入力される。この例では、「１２ＦＧ５Ｘ」がパスワードとして入力されている。なお、このパスワードは、アクセスを許可しようとする者（例えば、友人等）に対して予め通知しておく必要がある。
【００６０】
ラジオボタン７３は、ラジオボタン６８において、専用ＨＰを設けることが選択された場合において、当該専用ＨＰを、後述するサイト内の検索において、検索の対象とするか否かを指定するためのボタンである。この例では、左側のボックス（設定）が選択された場合には、当該専用ＨＰが検索の対象とされる。また、右側のボックス（設定しない）が選択された場合には、当該専用ＨＰが検索の対象から除外される。
【００６１】
テキストボックス７４は、ラジオボタン６８において、専用ＨＰを設けることが選択された場合において、当該専用ＨＰを、後述するサイト内の検索において検索する際の検索キーワードを入力するためのボックスである。この例では、３つのキーワード「特許太郎  特許  商標」が入力されている。なお、これらのキーワードは、インターネット上に設けられた検索サイトからの検索時においてもキーワードとして利用される。
【００６２】
ラジオボタン７５は、ラジオボタン６８において、専用ＨＰを設けることが選択された場合において、当該専用ＨＰに掲示板を設けるか否かを指定するためのボタンである。この例では、左側のボックス（設ける）が選択された場合には、掲示板が設置される。また、右側のボックス（設けない）が選択された場合には、掲示板が設置されない。なお、専用ＨＰを設置しない場合であっても、掲示板のみを設置する構成としてもよい。
【００６３】
ボタン７６は、画面６０において入力された情報を、ＤＢ４３に登録する際に操作されるボタンである。また、ボタン７７は、画面６０において入力された情報をキャンセルする場合に操作されるボタンである。
【００６４】
図４に戻って、処理の流れの説明を継続する。
【００６５】
ステップＳ１２：基本制御モジュール４１は、図６に示す画面６０において入力が終了し、ボタン７６が操作されたか否かを判定し、操作された場合にはステップＳ１３に進み、それ以外の場合には同様の処理を繰り返す。
【００６６】
ステップＳ１３：基本制御モジュール４１は、図６に示す画面６０のラジオボタン６８において選択されたボックスを参照し、専用ＨＰを設けるか否かを判定する。その結果、専用ＨＰを設けることが選択されたと判定した場合には、ステップＳ１４に進み、それ以外の場合にはステップＳ２０に進む。図６の例では、「設ける」が選択されているので、ステップＳ１４に進むことになる。
【００６７】
ステップＳ１４：基本制御モジュール４１は、ＤＢ管理モジュール４２に対して、図６に示すテキスト情報６４（生徒の氏名のローマ字表記）に対応する名称のフォルダを作成するように要求する。その結果、図６の場合を例に挙げると、図７に示すように、当該卒業生の姓のローマ字表記である「Ｔｏｋｋｙｏ」に対応する名前を有するフォルダ８０ｂがルートのフォルダ８０ａの下に生成される。ここで、図６のラジオボタン７３により、検索対象に設定されている場合には、フォルダ名の最後に「＃」が付与される。その結果、当該フォルダが検索対象に設定されていることを知ることができる。なお、ルートのフォルダ８０ａには、ＵＬＲとして「ｗｗｗ．○○○．ｃｏｍ」が対応付けられており、また、フォルダ８０ｂに対しては、そのサブドメインである「ｗｗｗ．○○○．ｃｏｍ／ｔｏｋｋｙｏ＃」が対応付けられている。なお、この例では、ルートのフォルダ８０ａの直下に、各生徒のフォルダを生成するようにしたが、各期に対応するサブフォルダを生成し、その下にそれぞれの生徒個人のフォルダを生成するようにしてもよい。
【００６８】
ステップＳ１５：基本制御モジュール４１は、専用ＨＰの表紙ページ（空のページまたは所定のひな形に基づいて作成されたページ）を作成し、ステップＳ１４において作成されたフォルダ内に格納する。この例では、表紙ページ８１ｂが作成されてフォルダ８０ｂに格納されることになる。なお、表紙ページ８１ｂは、サブドメインとしてのＵＲＬ「ｗｗｗ．○○○．ｃｏｍ／ｔｏｋｋｙｏ＃」にアクセスされた場合に、最初に読み出されてクライアント装置側に表示されるファイル（例えば、「ｉｎｄｅｘ．ｈｔｍｌ」）である。
【００６９】
ステップＳ１６：基本制御モジュール４１は、ステップＳ１５において作成された表紙ページに対して必要な設定を行う。具体的には、図６に示す例では、プライバシーロックが選択されているので、表紙ページ８１ｂには、ＨＴＭＬのタグとして、例えば、以下のような一文が挿入される。
【００７０】
＜ｍｅｔａ  ｎａｍｅ＝“ｒｏｂｏｔｓ”  ｃｏｎｔｅｎｔ＝“ｎｏｉｎｄｅｘ，ｎｏｆｏｌｌｏｗ”＞
【００７１】
その結果、検索ロボットの巡回の対象となった場合でも、インターネット１６上に存在する検索サイトに登録されることを回避できるため、例えば、当該検索サイトにおいて氏名を入力して検索した場合に、プロフィール等の個人情報が表示され、個人情報が悪用等されることを防止できる。
【００７２】
また、ラジオボタン７０の選択内容に応じて、専用ＨＰの容量の設定を行う。なお、この設定の内容としては、ｆｔｐ（Ｆｉｌｅ  Ｔｒａｎｓｆｅｒ  Ｐｒｏｔｏｃｏｌ）等により専用ＨＰを構成する情報をサーバ装置１０にアップロードする際に、選択された容量を超える場合には、ｆｔｐを停止するようにすればよい。
【００７３】
また、ラジオボタン７１の選択内容に応じて、専用ＨＰへのアクセス制限の設定を行う。具体的には、表紙ページ８１ｂへアクセスするのではなく、例えば、ＣＧＩ（Ｃｏｍｍｏｎ  Ｇａｔｅｗａｙ  Ｉｎｔｅｒｆａｃｅ）プログラムによって作成されたアクセス制限用のプログラムが先に実行されるように設定がなされる。
【００７４】
また、テキストボックス７４の入力内容に応じて、検索キーワードが設定される。具体的には、図６の例では、検索キーワードとして「特許太郎  特許  商標」が入力されているので、表紙ページ８１ｂには、ＨＴＭＬのタグとして、例えば、以下のような一文が挿入される。
【００７５】
＜ｍｅｔａ  ｎａｍｅ＝“Ｋｅｙｗｏｒｄｓ”  ｃｏｎｔｅｎｔ＝“特許太郎，特許，商標”＞
【００７６】
その結果、「特許太郎」、「特許」、「商標」が検索キーワードとして設定されるため、検索サイトからの検索時において、これらいずれかのキーワードが使用された場合には、当該専用ＨＰが検索結果として列挙されることになる。
【００７７】
ステップＳ１７：基本制御モジュール４１は、掲示板を設置するか否かを判定し、設置する場合にはステップＳ１８に進み、それ以外の場合にはステップＳ２０に進む。具体的には、図６に示す画面６０のラジオボタン７５において、掲示板を設置することが選択されている場合にはステップＳ１８に進み、それ以外の場合にはステップＳ２０に進む。図６の例では、掲示場を設置することが選択されているので、ステップＳ１８に進む。
【００７８】
ステップＳ１８：基本制御モジュール４１は、掲示板を表示するためのプログラムを作成し、例えば、ステップＳ１４において生成されたフォルダに格納する。具体的には、図６の例では、例えば、ＣＧＩプログラムによって作成された掲示板を表示するためのＣＧＩプログラムがフォルダ８０ｂに格納されるとともに、掲示板に書き込まれた情報を記憶するためのログファイルが生成されてフォルダ８０ｂに格納される。
【００７９】
ステップＳ１９：基本制御モジュール４１は、ステップＳ１８において生成された掲示板について、必要な情報の設定を行う。例えば、図６の例では、掲示板の名称（例えば、「特許太郎用掲示板」）が仮に設定される。また、掲示板を管理するために必要な情報（管理用パスワード等）が、「特許太郎」のメールアドレス（ｔｏｋｋｙｏ＠ｏｏｏ．ｃｏｍ）に対して送信される。
【００８０】
ステップＳ２０：基本制御モジュール４１は、図１０を参照して後述するフロントページの設定を行う。具体的には、図６の例では、登録の対象となっている生徒の氏名である「特許太郎」がフロントページ（表紙ページ８１ａ）に挿入されるとともに、ラジオボタン６６により画像を使用することが選択されている場合には、フロントページ（表紙ページ８１ａ）に対して当該画像を挿入する処理が実行される。なお、表示ページ８１ａは、１枚のホームページで構成される場合も存在するが、多くは複数のホームページで構成される。この複数のホームページは、ｗｗｗ．○○○．ｃｏｍ内で表示される。
【００８１】
ステップＳ２１：基本制御モジュール４１は、全ての生徒の登録が終了したか否かを判定し、終了していないと判定した場合にはステップＳ１１に戻って同様の処理を繰り返し、それ以外の場合には処理を終了する。具体的には、この例では、第６期の生徒全ての登録が完了した場合には、処理を終了し、それ以外の場合には、ステップＳ１１に戻って同様の処理が繰り返される。
【００８２】
以上の処理により、特定の期に属する生徒全てを卒業アルバムに登録することができる。なお、以上の説明では、当該登録処理は、大学の担当者が一括して行うようにしたが、生徒が各自のクライアント装置を介して自分で行うようにすることも可能である。その場合には、各生徒がクライアント装置を操作してサーバ装置１０にアクセスし、例えば、登録用のプログラムを起動することによって図６に示す画面６０をクライアント装置側に表示させて登録を行う。
【００８３】
つぎに、以上の処理により生成された専用ＨＰを編集する際の処理について、図８のフローチャートに基づいて説明する。
【００８４】
図９は、生徒の専用ＨＰを編集する際に、クライアント装置の表示装置３７に表示される画面の一例を示す図である。なお、以下では、生徒「特許太郎」がクライアント装置１２を操作してサーバ装置１０にアクセスし、専用ＨＰを編集する場合を例に挙げて説明する。
【００８５】
生徒「特許太郎」は、クライアント装置１２のブラウザプログラムを起動し、サーバ装置１０のＨＰ作成管理モジュール４４を仲介として、ホームページ作成用のプログラムをダウンロードし、実行する。なお、ホームページ作成用のプログラムは、例えば、サーバ装置１０において実行し、その機能のみをクライアント装置１２側で利用するいわゆるＡＳＰ（Ａｐｐｌｉｃａｔｉｏｎ  Ｓｅｒｖｉｃｅ  Ｐｒｏｖｉｄｅｒ）方式でもよいし、例えば、プログラム自体をクライアント装置１２側へダウンロードしてクライアント装置１２側で実行する方式のいずれでもよい。
【００８６】
図９の例では、前者であるＡＳＰ方式が採用されている。したがって、所定の生徒から、専用ＨＰを編集する要求がなされた場合には、以下のフローチャート（図８参照）がサーバ装置１０側で実行される。
【００８７】
ステップＳ３０：基本制御モジュール４１は、専用ＨＰの編集要求を行った生徒が本人であるか否かの認証処理を実行する。具体的には、基本制御モジュール４１は、要求を行ったクライアント装置１２に対してＩＤとパスワードを入力するための画面を表示させ、ＩＤおよびパスワードの入力を受ける。
【００８８】
ステップＳ３１：基本制御モジュール４１は、クライアント装置から送られてきたＩＤとパスワードに基づいて認証処理を実行し、本人であるか否かを判定する。その結果、認証に成功した場合（本人である場合）には、ステップＳ３２に進み、それ以外の場合には処理を終了する。
【００８９】
ステップＳ３２：基本制御モジュール４１は、ＤＢ４３から編集画面を表示するための情報を取得し、要求を行ったクライアント装置に対して当該情報を送信する。その結果、クライアント装置１２の表示装置３７には、図９に示すような画面１００が表示される。
【００９０】
図９の例では、画面１００は、フレーム１０１およびフレーム１０２の２つのフレームによって構成されており、フレーム１０１にはメニューが表示され、フレーム１０２には当該メニューにおいて選択された画面が表示されている。この例では、フレーム１０１には、タイトル１１０として「ｍｅｎｕ」が表示されるとともに、リンク１１１〜１１７が表示されている。
【００９１】
ここで、リンク１１１は、表紙を表示する際に操作される。リンク１１２は、当該生徒の近況を説明するページを表示する際に操作される。リンク１１３は、当該生徒の仕事について説明するページを表示する際に操作される。リンク１１４は、当該生徒が有する掲示板（図６に示すラジオボタン７５により設置された掲示板）にアクセスする際に操作される。リンク１１５は、当該生徒が有するメールアドレス（図６に示すテキスト情報６５に示すメールアドレス）にメールを送信する際に操作される。リンク１１６は、当該生徒の学生時代を説明するページを表示する際に操作される。リンク１１７は、例えば、掲示板の書き込み内容を編集したり、専用ＨＰ自体の内容を編集したりするための管理ページを表示する際に操作される。
【００９２】
フレーム１０２には、画像１１８、コメント１１９が表示されている。フレーム１０２の右上には、専用ＨＰを作成または編集するためのツールボックス１２０が表示されている。この例では、ツールボックス１２０には、ボタン１２１〜１２８が表示されている。
【００９３】
ここで、ボタン１２１は、専用ＨＰの所定のページに文字を配置したり、既に配置されている文字を編集したりする際に操作される。ボタン１２２は、専用ＨＰの所定のページに画像を配置したり、既に配置されている画像を編集したりする際に操作される。ボタン１２３は、専用ＨＰの所定のページに表を配置したり、既に配置されている表を編集したりする際に操作される。ボタン１２４は、専用ＨＰの所定のページに音声ファイルへのリンクを配置したり、既に配置されている音声ファイルを編集したりする際に操作される。ボタン１２５は、専用ＨＰの所定のページに動画を配置したり、既に配置されている動画を編集したりする際に操作される。ボタン１２６は、専用ＨＰの所定のページに配置されているコンポーネント（例えば、文字、画像等）に対してリンクを張ったり、既にリンクが張られているコンポーネントを編集したりする際に操作される。ボタン１２７は、専用ＨＰの作成作業または編集作業が終了した後に、作成された専用ＨＰに関する情報をサーバ装置１０にアップロードする際に操作される。ボタン１２８は、編集対象となるページを選択したり、新たにページを生成したりする際に操作される。
【００９４】
なお、図９では、ツールボックス１２０以外の表示要素については、生徒「特許太郎」により作成されたものであるため、これらの情報が当初から表示されるわけではない。しかし、専用ＨＰの作成の手間を省略するために、雛型を用意しておき、その中から選択するようにしてもよい。
【００９５】
ステップＳ３３：基本制御モジュール４１は、図９に示す画面において、ツールボックス１２０から所定のツールが選択されたか否かを判定し、選択された場合にはステップＳ３４に進み、それ以外の場合には同様の処理を繰り返す。
【００９６】
ステップＳ３４：基本制御モジュール４１は、ツールボックス１２０において選択されたツールに対応する処理を実行する。例えば、ボタン１２１が選択された場合には、所定のページの所定の位置に、任意の大きさで任意の色の文字を入力する処理を行う。また、ボタン１２２が選択された場合には、所定のページの所定の位置に、別の画面より選択された画像ファイルを、任意の大きさかつ任意の解像度で配置する処理を行う。また、ボタン１２６が選択された場合には、表示要素（例えば、文字等）に対して任意のＵＲＬをリンクする処理を実行する。さらに、ボタン１２８が選択された場合には、任意のページを表示したり、新たなページを作成する処理を実行する。
【００９７】
ステップＳ３５：基本制御モジュール４１は、ツールボックス１２０においてアップロードを実行するためのボタン１２７が操作されたか否かを判定し、操作された場合にはステップＳ３６に進み、それ以外の場合にはステップＳ３７に進む。
【００９８】
ステップＳ３６：基本制御モジュール４１は、クライアント装置において作成された情報を、アップロードする処理を実行する。すなわち、基本制御モジュール４１は、送受信管理モジュール４０を通じて、クライアント装置において作成された情報を受信し、所定のフォルダに格納する。この例では、クライアント装置１２から受信された情報は、フォルダ８０ｂに格納されることになる。
【００９９】
ステップＳ３７：基本制御モジュール４１は、処理を終了するか否かを判定する。すなわち、クライアント装置において、処理を終了する旨の操作がなされた場合には処理を終了し、それ以外の場合にはステップＳ３３に戻って同様の処理を繰り返す。
【０１００】
以上の処理により、各生徒の専用ＨＰを作成または編集することが可能になる。なお、ＡＳＰ方式等により専用ＨＰを作成するようにすれば、クライアント装置１２側にＨＰを作成するための専用プログラムをインストールする必要がないので、生徒が簡易に専用ＨＰを作成または編集することが可能になる。
【０１０１】
つぎに、以上のようにして作成されたアルバムに対して生徒、卒業生、または第三者がアクセスする場合の動作について説明する。
【０１０２】
例えば、ある生徒がクライアント装置１３を操作して、ブラウザプログラムを起動し、サーバ装置１０の有するドメインであるＵＲＬ「ｗｗｗ．○○○．ｃｏｍ」に対してアクセスした場合、クライアント装置１３の表示装置３７には図１０に示すような画面が表示される。この例では、卒業生のアルバムを示す画面が表示されているが、大学全体の紹介等を行う画面が最初に現れ、その画面から図１０に示す画面にリンクするようにしてもよい。このようにすると、卒業生等は、アクセスする度に、大学に関する情報を入手することができる一方、大学としても、卒業後も卒業生を長期に渡ってユーザとして位置づけることができる。
【０１０３】
この図の例では、画面１４０の最上部には、タイトル１４１として「○×大学卒業生ライブアルバム」が表示されている。その左下には、ボタン１４２〜１４４が表示され、右下にはボタン１４５〜１５０が表示されている。また、最下部にはテキストボックス１５１とボタン１５２が表示されている。
【０１０４】
ここで、ボタン１４２は、「第３会同窓会」に関連するページを表示させる場合に操作される。ボタン１４３は、「学園祭２００３」に関連するページを表示させる場合に操作される。ボタン１４４は、「特別講義」に関連するページを表示させる場合に操作される。
【０１０５】
ボタン１４５〜１５０は、第１期卒業生〜第６期卒業生のそれぞれの表紙ページを表示させる場合に操作されるボタンである。なお、ボタン１５０は、前述のフローチャートによる処理により新たに追加されたボタンである。
【０１０６】
テキストボックス１５１は、全卒業生の専用ＨＰに含まれている文字列をキーワードとして検索する場合に、キーワードを入力するためのボックスである。ボタン１５２は、テキストボックス１５１に入力されたキーワードで検索を実行する場合に操作される。なお、テキストボックス１５１を用いて検索を行う場合の動作については後述する。
【０１０７】
図１１は、図１０に示す画面１４０において、ボタン１４５〜１５０のいずれかが操作された場合に、サーバ装置１０において実行される処理の一例を説明するためのフローチャートである。このフローチャートが開始されると、以下のステップが実行される。
【０１０８】
ステップＳ５０：基本制御モジュール４１は、図１０に示す画面１４０において操作されたボタンに対応するフロントページをＤＢ４３から取得し、送受信管理モジュール４０を介して、要求を行ったクライアント装置に対して送信する。例えば、クライアント装置１３において、ボタン１５０が操作された場合には、基本制御モジュール４１は、ＤＢ４３から第６期卒業生に対応するフロントページを表示するための情報を取得し、送受信管理モジュール４０を介して、要求を行ったクライアント装置１３に送信する。
【０１０９】
その結果、クライアント装置１３には、図１２に示すような画面１７０が表示される。この画面１７０では、最上部にタイトル１７１として「第６期卒業」が表示されている。その下には、卒業生の画像１７２〜１７９が一覧表示され、また、その下には名前１８０〜１８７が表示されている。ここで、画像１７８は未表示とされているが、これは、図６に示す画面６０において、ラジオボックス６６により画像を使用しないことが選択されているためである。また、名前１８０，１８２，１８４，１８５，１８７については、下線が付されているが、これは、専用ＨＰへのリンクが張られていることを示している。例えば、名前１８０が操作された場合には、「特許太郎」の専用ＨＰに遷移することになる。
【０１１０】
なお、図６に示すラジオボタン６９により、プライバシーブロックを「ＯＮ」にすることが選択されている場合には、画像の下に表示される名前をテキストではなく、画像として表示する。このような方法によれば、インターネット１６上に存在する検索サイトにおいて、名前をキーワードとして検索された場合であっても、図１４に示すページ（名前に対応する画像を含むページ）が検索の結果として表示され、個人の肖像という、プライベートな情報が悪用されることを防止できる。
【０１１１】
ステップＳ５１：基本制御モジュール４１は、図１２に示す画面１７０において、所定の個人が選択されたか否かを判定し、所定の個人が選択された場合には、ステップＳ５２に進み、それ以外の場合には同様の処理を繰り返す。例えば、図１２に示す画面１７０において、名前１８０が操作された場合には、ステップＳ５２に進むことになる。
【０１１２】
ステップＳ５２：基本制御モジュール４１は、ステップＳ５１において選択された個人の設定内容をＤＢ４３を参照し、アクセス制限が課されているか否かを判定する。その結果、アクセス制限が課されている場合にはステップＳ５３に進み、それ以外の場合にはステップＳ５５に進む。例えば、「特許太郎」については、図６に示す画面６０のラジオボタン７１により、アクセス制限が課されているので、ステップＳ５３に進むことになる。
【０１１３】
ステップＳ５３：基本制御モジュール４１は、ＤＢ４３から認証画面を表示するための情報を取得し、要求を行ったクライアント装置に対して送信する。その結果、クライアント装置には、図１３に示すような、認証用の画面２００が表示される。
【０１１４】
図１３の例では、画面２００には、タイトル２０１として「認証」が表示されている。その下にはテキストボックス２０２，２０３が表示されている。また、最下部にはボタン２０４，２０５が表示されている。ここで、テキストボックス２０２には、ＩＤが入力される。テキストボックス２０３には、パスワードが入力される。ボタン２０４は、入力された情報をサーバ装置１０に送信する場合に操作される。ボタン２０５は、入力された情報をキャンセルする場合に操作される。
【０１１５】
このような画面２００において、ＩＤおよびパスワードが入力された後、ボタン２０４が操作されると、ＩＤおよびパスワードがサーバ装置１０に送信される。
【０１１６】
ステップＳ５４：基本制御モジュール４１は、クライアント装置から送信されたＩＤおよびパスワードを受信し、認証処理を実行する。その結果、認証に成功した場合にはステップＳ５５に進み、それ以外の場合には同様の処理を繰り返す。なお、認証に連続して失敗した場合には、処理を終了するようにしてもよい。
【０１１７】
ステップＳ５５：基本制御モジュール４１は、クライアント装置において要求された専用ＨＰに対応する情報をＤＢ４３から取得し、要求を行ったクライアント装置に対して送信する。例えば、図１３の場合では、卒業生「特許太郎」の専用ＨＰが表示される。図１４は、「特許太郎」の専用ＨＰの表示例である。この画面は、図９の編集用の画面１００と基本的に一致するが、編集用のツールボックス１２０が表示されていないものとなっている。図１４の例では、画面１００Ａは、フレーム１０１およびフレーム１０２の２つのフレームによって構成されており、フレーム１０１にはメニューが表示され、フレーム１０２にはメニューにおいて選択された画面が表示されている。この例では、フレーム１０１には、タイトル１１０として「ｍｅｎｕ」が表示されるとともに、リンク１１１〜１１７が表示されている。
【０１１８】
ここで、リンク１１１は、表紙を表示する際に操作される。リンク１１２は、当該卒業生の近況を説明するページを表示する際に操作される。リンク１１３は、当該卒業生の仕事について説明するページを表示する際に操作される。リンク１１４は、当該卒業生が有する掲示板（図６に示すラジオボタン７５により設置された掲示板）にアクセスする際に操作される。リンク１１５は、当該卒業生が有するメールアドレス（図６に示すテキスト情報６５に示すメールアドレス）にメールを送信する際に操作される。リンク１１６は、当該卒業生の学生時代を説明するページを表示する際に操作される。リンク１１７は、例えば、掲示板の書き込み内容を編集したり、専用ＨＰ自体の内容を編集したりするための管理ページを表示する際に操作される。
【０１１９】
フレーム１０２には、画像１１８、コメント１１９が表示されている。コメント１１９としては、「プロフィール」、「××ゼミ所属」、「○×部所属」、「△△特許事務所勤務」、「現住所：○○県××市□□町」、および「コメント：特許関係の仕事をしています。」が表示されている。ここで、下線が付されている文字列はリンクが張られているので、当該文字列を操作することにより、リンク先のページに遷移する（対応する情報がフレーム１０２に表示される）。
【０１２０】
ステップＳ５６：基本制御モジュール４１は、リンクが操作されたか否かを判定し、操作された場合にはステップＳ５７に進み、それ以外の場合には同様の処理を繰り返す。具体的には、フレーム１０１に表示されているリンク１１１〜１１７またはフレーム１０２に表示されている所定のリンクが操作された場合には、リンク先のページがＤＢ４３から読み出されて、クライアント装置に対して送信されたり、リンク先のホームページへ直接遷移したりすることになる。
【０１２１】
図１５は、フレーム１０２に表示されているリンク「△△特許事務所」が操作された場合に表示される画面の表示例である。この表示例では、フレーム１０２に、△△特許事務所のホームページが表示されている。すなわち、タイトルとして「△△特許事務所」が表示され、その下にメッセージとして「電気・電子分野バイオテクノロジー分野  メカトロニクス分野  を得意とする特許事務所です。」が表示されている。また、その下には、リンクを示す下線が付された「こちら」を含むメッセージ「ご連絡はこちらまで。」が表示されている。なお、リンクとしての「こちら」が操作された場合には、△△特許事務所のメールアドレス宛にメールを送信することが可能となる。
【０１２２】
図１６は、他の卒業生の専用ＨＰにおける同様の表示例（仕事を説明するためのページの表示例）を示している。この表示例では、フレーム１０２には、タイトル２２０として「ヘアーサロン○○」が表示されている。その下には、当該卒業生がデザインした新しいカットを示す画像２２１が表示されている。その下には、メッセージ２２２として「２００２年の３月に、□□町にヘアーサロン○○をオープンしました。上は、私がデザインした新しいカットです。どうぞよろしくお願いします。」が表示されている。その下には、リンクを示す下線が付された「こちら」を含むメッセージ２２３として「ご連絡はこちらまで。」が表示されている。なお、リンクとしての「こちら」が操作された場合には、ヘアーサロン○○のメールアドレス宛にメールを送信することが可能となる。
【０１２３】
図１５または図１６に示すような表示情報を参照することにより、当該卒業生の現在の状況を知ることができるとともに、当該卒業生の従事している仕事を知ることができるので、自己のビジネスに関連する仕事を行っている卒業生に対して連絡を取り、専門知識等を入手することができるとともに、人的コネクションを拡大することが可能になる。また、また、出身大学が同じであるということから、通常よりも安い金額で仕事を依頼したり、仕事を優先的に処理してもらったりすることが可能になる。
【０１２４】
図１７は、フレーム１０１のボタン１１４が操作された場合に表示される掲示板の表示例である。この例では、フレーム１０２の上部に、テキストボックス２３０が表示されている。その下にはボタン２３１が表示され、さらに下には、掲示板の表示部２３２が表示されている。
【０１２５】
ここで、テキストボックス２３０には、投稿しようとするメッセージが入力される。ボタン２３１は、テキストボックス２３０に入力されたメッセージを投稿する際に操作される。表示部２３２は、過去に投稿されたメッセージの一覧が新しい順に表示されている。この例では、第３期の卒業生である○○によって投稿されたメッセージとして「２００３／０３／２０  初めまして  ○○  特許の取得を検討しています。第３期卒業の○○です。ご連絡下さい。」が最上部に表示されている。その下には、管理人である専用ＨＰの所有者からの返答メッセージとして「２００３／０３／２０  こんにちは  管理人  特許取得の件ですが、メールにてご連絡下さい、詳細は後日うち合わせいたします。」が表示されている。さらにその下には、他のユーザによって投稿されたメッセージとして「２００３／０３／１９  相談ですが・・・  ××  中小企業に勤めている××と申します。弊社の製品の特許侵害事件が発生しており、対応に苦慮しております。・・・・・・・・・・」が表示されている。
【０１２６】
このような掲示板を用いることにより、専用ＨＰの所有者と時間帯を気にせずに連絡をとることができるのみならず、情報交換を行うことにより、当該所有者の専門知識の確度等を確認することが可能になる。その結果、その後に取引または仕事の依頼をスムーズに行うことができる。
【０１２７】
つぎに、サイト内における検索処理について説明する。
【０１２８】
図１８は、図１０に示す画面１４０のテキストボックス１５１にキーワードとして「特許」が入力された状態を示している。このような状態において、ボタン１５２が操作されると、テキストボックス１５１に入力されたキーワードは、サーバ装置１０に対して送信され、図１９に示すフローチャートの処理が開始される。このフローチャートが開始されると、以下のステップが実行される。
【０１２９】
ステップＳ７０：基本制御モジュール４１は、クライアント装置から送信されてきたキーワードを送受信管理モジュール４０を介して取得する。図１８に示す例ではキーワードとして「特許」が取得されることになる。
【０１３０】
ステップＳ７１：基本制御モジュール４１は、検索対象となるフォルダを特定する。すなわち、図６に示すように、登録時において、検索対象に設定するか否かをラジオボタン７３によって設定されており、検索対象に設定された場合には図７に示すようにフォルダ名の末尾に「＃」が付与されている。そこで、基本制御モジュール４１は、フォルダ名の末尾に「＃」が付与されているフォルダを検索対象として特定する。
【０１３１】
ステップＳ７２：基本制御モジュール４１は、検索の対象の中からフォルダをひとつ選択する。具体的には、例えば、図７に示すフォルダ８０ｂを検索対象として選択する。
【０１３２】
ステップＳ７３：基本制御モジュール４１は、ステップＳ７２において選択されたフォルダの内部に格納されているファイルをひとつずつ取得し、指定されたキーワードがそのファイル中に存在しているか否かを判定し、存在している場合にはステップＳ７４に進み、それ以外の場合にはステップＳ７６に進む。この例では、図６に示すテキストボックス７４において、キーワードとして「特許」が設定されており、また、図１４に示すように、「△△特許事務所」および「特許関係の仕事をしています。」のような特許を含む文字列が存在することから、キーワードが存在すると判定され、ステップＳ７４に進む。
【０１３３】
ステップＳ７４：基本制御モジュール４１は、キーワードが含まれているファイルが格納されているフォルダのＵＲＬを取得する。なお、フォルダ単位ではなく、ファイル単位で取得することも可能である。
【０１３４】
ステップＳ７５：基本制御モジュール４１は、特定されたフォルダに対応する卒業生の氏名を特定する。具体的には、例えば、ＤＢ４３に、ＵＲＬと氏名との対応関係を示すテーブルを準備しておき、このテーブルを参照することにより実現できる。具体的には、この例では、「特許太郎」の場合には、「ｗｗｗ．○○○．ｃｏｍ／ｔｏｋｋｙｏ＃」が特定される。
【０１３５】
ステップＳ７６：基本制御モジュール４１は、ステップＳ７１で特定された全てのフォルダの検索が終了したか否かを判定し、終了した場合にはステップＳ７７に進み、それ以外の場合にはステップＳ７２に戻って同様の処理を繰り返す。
【０１３６】
ステップＳ７７：基本制御モジュール４１は、検索結果を示す画面を表示するための情報を生成し、要求を行ったクライアント装置に対して送信する。その結果、要求を行ったクライアント装置の表示装置３７には、図２０に示すような画面２５０が表示される。
【０１３７】
この表示例では、画面２５０の最上部に、タイトル２５１として「検索結果」が表示されている。また、その下にはメッセージ２５２として「キーワード：特許」が表示されている。その下には、下線が付されたリンクを含む検索結果の文字情報２５３〜２５５が表示されている。
【０１３８】
文字情報２５３〜２５５が操作されると、図１４に示すような、該当する専用ＨＰが表示されることになる。なお、アクセス制限が課されている場合には、まず、図１３に示す認証用の画面２００が表示されて認証処理が実行された後、認証に成功した場合には図１４に示す各専用ＨＰに遷移することになる。
【０１３９】
例えば、文字情報２５５が操作された場合には、図１３に示す認証用の画面２００が表示されて認証処理が実行され、認証に成功した場合には図１４に示す「特許太郎」の専用ＨＰに遷移することになる。
【０１４０】
このような検索処理によれば、キーワードを用いて、卒業生の専用ＨＰから目的とする情報を見つけだすことが可能になるため、例えば、キーワード「特許」であれば、特許関係の専門知識を有する卒業生を簡易かつ迅速に見つけだすことが可能になる。
【０１４１】
以上に説明したように、本発明の実施の形態によれば、卒業生の各々がアルバムの内容を常に最新の情報にアップデートすることができるので、通常の卒業アルバムと異なり、卒業後の同級生の動向を知ることが可能になる。
【０１４２】
また、本発明の実施の形態によれば、掲示板等を設けたり、メールアドレスを公開したりすることにより、卒業生同士または卒業生と在校生とがコミュニケーションを図ることが可能になる。したがって、例えば、卒業生が在校生の中から自己が従事している仕事に最適な人材を探し出したり、在校生が自己が興味がある仕事に従事している卒業生に対して、情報の提供を求めたりすることが可能になる。
【０１４３】
また、サークル等では、在校生がホームページを開設してその運営・管理を行うことが多いが、例えば、代替わり等が行われた場合には、管理の引継がスムーズに行われずに、ホームページの管理が十分に行われなくなる場合がある。しかし、本実施の形態では、卒業生との連絡を密にとることにより、運営・管理の助言を得ることができるので、そのような事態を回避することが可能になる。
【０１４４】
また、本実施の形態では、ヘアアーティストまたはデザイナーが自己のスキルまたは作品を発表する機会を簡単に得ることができる。また、作品を記載した、いわば、名鑑を作成することにより、そこから、所属のサロンや事務所を逆検索するサイトを簡単かつ低コストに作成することが可能になる。
【０１４５】
また、大学側としては、卒業生とのつながりを卒業後も維持できることとなり、寄付金等の資金援助を受けやすくなる等のメリットが生じ、大学経営を円滑化することができる。
【０１４６】
以上、本発明の一実施の形態について説明したが、本発明はこれ以外にも種々変形可能である。例えば、以上の実施の形態では、団体として「大学の卒業生」を例に挙げて説明したが、大学だけでなく、小学校、中学校、高等学校、専門学校等の卒業生についても本発明を適用することができる。
【０１４７】
また、学校の卒業生だけでなく、例えば、同好会または愛好会等のように、所定の目的の下に構成員が集合した団体についても本発明を適用することが可能である。
【０１４８】
また、以上の実施の形態では、フレーム形式の画面１００，１００Ａを例に挙げて説明したが、フレームを使用しない場合であっても本発明を適用可能であることはいうまでもない。
【０１４９】
また、以上の実施の形態では、サーバ装置１０において全ての処理を実行するようにしたが、例えば、クライアント装置１１〜１４側に少なくとも一部の処理を分担するようにしてもよい。そのような方法によれば、サーバ装置１０にかかる負担を軽減させることが可能になる。
【０１５０】
また、上記の実施の形態では、クライアント装置１１〜１４に対して送信される情報としてはＨＴＭＬを用いるようにしたが、これ以外にも、例えば、ＸＭＬ等を使用することができる。また、サーバ装置１０において実行されるプログラムとしてはＣＧＩプログラムを用いるようにしたが、これ以外にも、例えば、ＳＳＩ（Ｓｅｒｖｅｒ  Ｓｉｄｅ  Ｉｎｃｌｕｄｅ）等を用いることも可能である。
【０１５１】
なお、以上の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Ｒａｎｄｏｍ  Ａｃｃｅｓｓ  Ｍｅｍｏｒｙ）、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯなどがある。
【０１５２】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１５３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１５４】
【発明の効果】
本発明によれば、例えば、構成員が卒業生である場合には、卒業後であっても使用価値の高いアルバムを提供することが可能となる。
【図面の簡単な説明】
【図１】本発明のホームページ公開サーバ装置を含むアルバム管理システムの構成例を示す図である。
【図２】図１に示すホームページ公開サーバ装置およびクライアント装置の詳細な構成例を示す図である。
【図３】図２に示すＨＤＤに格納されているソフトウエアと、ＣＰＵ、ＲＯＭ、ＲＡＭ、ＨＤＤが協働することにより実現される処理機能の一例を示す図である。
【図４】図１に示すホームページ公開サーバ装置に新たな卒業生を登録する際に実行される処理の一例を示すフローチャートである。
【図５】図１に示すホームページ公開サーバ装置に登録する卒業生名簿の一例である。
【図６】図１に示すホームページ公開サーバ装置に新たな卒業生を登録する際にホームページ公開サーバ装置に表示される画面の表示例である。
【図７】図１に示すホームページ公開サーバ装置のＤＢに作成されるフォルダの一例を説明するための図である。
【図８】図１に示すホームページ公開サーバ装置に対して専用ＨＰを登録する際に実行される処理の一例を説明するフローチャートである。
【図９】図１に示すホームページ公開サーバ装置に対して専用ＨＰを登録する際に、クライアント装置側に表示される画面の一例である。
【図１０】図１に示すホームページ公開サーバ装置に対してクライアント装置からアクセスされた場合に最初に表示される画面の一例である。
【図１１】図１０に示す画面において、所定の期の卒業生が選択された場合に実行される処理の一例を説明するフローチャートである。
【図１２】図１０に示す画面において、所定の期の卒業生が選択された場合に表示される画面の一例である。
【図１３】図１２に示す画面の中から特許太郎が選択された場合において表示される認証用の画面の一例を示す図である。
【図１４】図１３に示す認証用の画面において正しいＩＤとパスワードが入力された場合に表示される画面であって、特許太郎の専用ＨＰの表示例を示す画面である。
【図１５】図１４に示すリンク「△△特許事務所」が操作された場合に表示される画面の一例である。
【図１６】図１２に示す画面の中から他の卒業生が選択された場合の画面であって、図１４に示す場合と同様の表示例を示す図である。
【図１７】図１４において掲示板を表示するためのリンクが操作された場合に表示される画面の一例である。
【図１８】図１０に示す画面のテキストボックスに所定のキーワードが入力された場合の表示例である。
【図１９】図１８に示す画面において検索を開始するためのボタンが操作された場合に実行される処理の一例を説明するためのフローチャートである。
【図２０】図１０に示す検索開始ボタンが操作された後に表示される画面であって、検索結果の一覧を示す画面の表示例である。
【符号の説明】
１０  サーバ装置（ホームページ公開サーバ装置）
１１〜１４  クライアント装置
１５  ＬＡＮ
１６  インターネット
４０  送受信管理モジュール（送信手段）
４１  基本制御モジュール（一覧表示手段、画像使用制限手段、検索対象防止手段、アクセス制限手段、検索手段、検索対象除外手段）
４２  ＤＢ管理モジュール（取得手段）
４３  ＤＢ（格納手段）
４４  ＨＰ作成管理モジュール（更新手段、ホームページ情報作成手段）
【図１】
2004355338.tif 000003
【図２】
2004355338.tif 000004
【図３】
2004355338.tif 000005
【図４】
2004355338.tif 000006
【図５】
2004355338.tif 000007
【図６】
2004355338.tif 000008
【図７】
2004355338.tif 000009
【図８】
2004355338.tif 000010
【図９】
2004355338.tif 000011
【図１０】
2004355338.tif 000012
【図１１】
2004355338.tif 000013
【図１２】
2004355338.tif 000014
【図１３】
2004355338.tif 000015
【図１４】
2004355338.tif 000016
【図１５】
2004355338.tif 000017
【図１６】
2004355338.tif 000018
【図１７】
2004355338.tif 000019
【図１８】
2004355338.tif 000020
【図１９】
2004355338.tif 000021
【図２０】
2004355338.tif 000022